(57)【特許請求の範囲】
【請求項１】
互いに対向して長手方向へ延びる側縁部と、互いに対向して幅方向へ延びる端縁部と、前胴周り域と、後胴周り域と、前記前後胴周り域の間に位置する股下域とを有する積層パネルが、透液性トップシートと、不透液性バックシートと、前記トップシートとバックシートとの間に介在する吸液性コアとから構成され、前記コアの側縁から幅方向外側へ延びるサイドフラップと、前記サイドフラップ上における前記コアの側縁部に沿って前記長手方向へ延びていて起立性向を有する防漏カフとを備え、前記カフが、前記サイドフラップ上に固定された基側縁部と、前記基側縁部の反対側に位置する自由側縁部と、前記胴周り域の端縁部に位置する固定端縁部とを有し、前記自由側縁部にはこれに沿って前記長手方向へ延びる弾性部材が設けられている着用物品において、
前記前後胴周り域の少なくとも一方に位置する前記カフの前記固定端縁部の、前記長手方向の内側に位置する近傍部が、前記カフの自由側縁部とともに幅方向外側へ折り返され、この折り返し部分と対向する前記カフの基側縁部上に固定されていることを特徴とする前記物品。
【請求項２】
前記サイドフラップのほぼ全域が、前記コアの側縁から幅方向外側へ延びる前記バックシートの部分と、その部分上に積層されている第３のシート部分とから形成されている請求項１に記載の物品。
【請求項３】
前記第３のシート部分と前記カフとが、一連のシートから形成されている請求項１又は２に記載の物品。
【請求項４】
第２の弾性部材が前記前後胴周り域の少なくとも一方に、第３の弾性部材が前記サイドフラップに、それぞれ設けられている請求項１ないし３のいずれかに記載の物品。
【発明の詳細な説明】
【０００１】
【発明の属する技術分野】
本発明は、おむつカバーや使い捨ておむつ等の着用物品に関する。
【０００２】
【従来の技術】
特開平１０−４３２３４号公報は、透液性トップシートと、不透液性バックシートと、それらシートの間に介在する吸液性コアとを有し、コアの側縁部の外側近傍で長手方向へ延びていて、トップシートの上面から上方へ起立性向を有する左右一対の防漏カフが形成された使い捨ておむつを開示している。カフは、長手方向へ弾性部材を伸長状態で取り付けた内側縁部と、トップシートの上面に固定された外側縁部と、おむつの内側へ倒伏された状態で、前後胴周り域に位置するトップシートの上面に固定された前後端縁部とを有する。おむつがその内面を内側にして長手方向に湾曲すると、弾性部材が収縮してカフがおむつの上方へ起立する。
【０００３】
特開平１０−１９２３３８号公報は、透液性トップシートと、不透液性バックシートと、それらシートの間に介在する吸液性コアとからなる積層パネルで構成され、後胴周り域の回り方向へ延在するパッド部材と、コアの長手方向へ延在する弾性収縮可能な一対のバリヤフラップとが形成された着用吸収性物品を開示している。バリヤフラップは、外側部分と、外側部分からコアの側へ延びる内側部分と、外側部分の側へ折り返された状態で、外側部分の外面に固定された両端部とを有し、内側部分には、長手方向へ延びる弾性部材が伸長状態で取り付けられている。吸収性物品がその内面を内側にして長手方向に湾曲すると、弾性部材が収縮してバリヤフラップが着用物品の上方へ起立する。
【０００４】
【発明が解決しようとする課題】
特開平１０−４３２３４号公報開示のおむつは、カフの前後端縁部がおむつの内側へ倒伏、固定されているので、前後胴周り域に位置するカフは、おむつの湾曲によって弾性部材が収縮しても、前後端縁部に拘束されて十分に起立することができない。股下域では、カフの起立により排泄物の横漏れを防ぐことができるが、前後胴周り域では、上記のようにカフの起立が不十分となるので、排泄物が漏れてしまうことがある。
【０００５】
特開平１０−１９２３３８号公報開示の吸収性物品は、バリヤフラップの両端部が物品の外側へ倒伏、固定されているので、前後胴周り域に位置するバリヤフラップは障壁としての機能を有さず、排泄物の漏れを防ぐことはできない。
【０００６】
本発明の課題は、前後胴周り域に位置するカフを確実に起立させ、前後胴周り域における排泄物の横漏れを防ぐことができる着用物品の提供を課題とする。
【０００７】
【課題を解決するための手段】
前述した課題を解決するための本発明は、互いに対向して長手方向へ延びる側縁部と、互いに対向して幅方向へ延びる端縁部と、前胴周り域と、後胴周り域と、前記前後胴周り域の間に位置する股下域とを有する積層パネルが、透液性トップシートと、不透液性バックシートと、前記トップシートとバックシートとの間に介在する吸液性コアとから構成され、前記コアの側縁から幅方向外側へ延びるサイドフラップと、前記サイドフラップ上における前記コアの側縁部に沿って前記長手方向へ延びていて起立性向を有する防漏カフとを備え、前記カフが、前記サイドフラップ上に固定された基側縁部と、前記基側縁部の反対側に位置する自由側縁部と、前記胴周り域の端縁部に位置する固定端縁部とを有し、前記自由側縁部にはこれに沿って前記長手方向へ延びる弾性部材が設けられている着用物品を改良することにある。
【０００８】
改良に係る本発明が特徴とするところは、前記前後胴周り域の少なくとも一方に位置する前記カフの前記固定端縁部の、前記長手方向の内側に位置する近傍部が、前記カフの自由側縁部とともに幅方向外側へ折り返され、この折り返し部分と対向する前記カフの基側縁部上に固定されていることにある。
【０００９】
本発明の実施の形態の一例として、前記サイドフラップのほぼ全域が、前記コアの両側縁から幅方向外側へ延びる前記バックシートの部分と、その部分上に積層されている第３のシート部分とから形成されている。
【００１０】
本発明の実施の形態の他の一例として、前記第３のシート部分と前記カフとが、一連のシートから形成されている。
【００１１】
本発明の実施の形態のさらに他の一例として、第２の弾性部材が前記前後胴周り域の少なくとも一方に、第３の弾性部材が前記サイドフラップに、それぞれ設けられている。
【００１２】
【発明の実施の形態】
添付の図面を参照して、本発明に係る着用物品の詳細を開放型の使い捨ておむつを例として説明すると、以下のとおりである。
【００１３】
図１は、積層パネル１で構成されたおむつの部分破断斜視図である。パネル１は、透液性トップシート２と、不透液性バックシート３と、トップシート２とバックシート３との間に介在し、それらシート２，３のうちの少なくとも一方の内面に接合された吸液性コア４とで形成されている。
【００１４】
パネル１は、互いに対向して長手方向へ延びる側縁部１ａと、互いに対向して長手方向と交差する幅方向へ延びる端縁部１ｂとを有し、長手方向に前胴周り域２０と、後胴周り域２２と、それら前後胴周り域２０，２２の間に位置する股下域２１とを有する。
【００１５】
パネル１の側縁部１ａには、コア４の側縁それぞれから幅方向外方へ延出し、股下域２１における幅狭い部分と前後胴周り域２０，２２における幅広い部分とを有するサイドフラップ５が形成されている。サイドフラップ５は、コア４の側縁から幅方向外側へ延びるバックシート３の部分と、この部分の上面に積層されてサイドフラップ５の上層を形成するシート部分５ａとから形成されている。コア４の側縁の外側近傍におけるサイドフラップ５の上面には、その側縁に沿って一対の防漏カフ６が長手方向へ延びている。サイドフラップ５のシート部分５ａとカフ６の部分とは一連の不織布シートから形成されている。
【００１６】
カフ６は、股下域２１においてトップシート２とバックシート３とのいずれにも固定されていない自由側縁部６ａと、自由側縁部６ａの下方に位置して長手方向へ延びる基側縁部６ｂと、前後胴周り域２０，２２に位置する固定端縁部６ｃとを有する。基側縁部６ｂから幅方向外側へ延びるサイドフラップ５のシート部分５ａの外縁形状は、バックシート３のそれと同じである。
【００１７】
カフ６は、基側縁部６ｂがコア４の側縁の近傍におけるサイドフラップ５のシート部分５ａの上面にその側縁に沿って固定され、固定端縁部６ｃがパネル１の内側に倒伏された状態でサイドフラップ５の域におけるトップシート２の上面に固定されている。カフ６の自由側縁部６ａには、長手方向へ延びる弾性部材８が伸長状態で取り付けられている。さらに図２について後述するように、後胴周り域２２に位置するカフ６の固定端縁部６ｃの近傍部は自由側縁部６ａとともに幅方向外側へ折り返されて基側縁部６ｂの上面に固定されている。前胴周り域２０に位置するカフ６の固定端縁部６ｃ近傍もまた、後胴周り域２２におけるカフ６と同様に折り返されていてもよい。
【００１８】
図１では、前後胴周り域２０，２２に位置するサイドフラップ５それぞれがパネル１の幅方向外方へ拡開されている。後胴周り域２２に位置する自由側縁部６ａは、パネル１の幅方向外方へ引っ張られて、パネル１の内側に倒伏した状態から起立した状態にある。
【００１９】
【００２０】
パネル１の前後胴周り域２０，２２には、パネル１の両端縁部１ｂに沿って、幅方向へ延びるフィルム状の胴周り用弾性部材９，１０が、トップシート２とバックシート３との間に介在し、それらシート２，３のうちの少なくとも一方に伸長状態で取り付けられている。
【００２１】
パネル１の股下域２１には、パネル１の両側縁部１ａに沿って、長手方向へ延びる脚周り用弾性部材７が、バックシート３とカフ６の部分との間に介在し、それら３，６のうちの少なくとも一方に伸長状態で取り付けられている。後胴周り域２２には、両側縁部１ａからパネル１の幅方向内方へ延びる一対のテープファスナ１１の基端部が取り付けられている。
【００２２】
図１では、それら弾性部材７，８，９，１０の伸長状態が若干緩められ、パネル１の両端縁部１ｂと股下域２１における両側縁部１ａとに沿ってギャザーが形成されている。
【００２３】
図２は、図１のＡ−Ａ線断面を含むパネル１の斜視図である。トップシート２は、その側縁部がコア４の側縁の外側近傍で終わり、サイドフラップ５の域に臨んでいる。コア４の側縁から幅方向外側へ延びるバックシート３の部分と、カフ６の基側縁部６ｂから幅方向外側へ延びるシート部分５ａとから、サイドフラップ５が形成されていることは既述のとおりである。カフ６は、自由側縁部６ａが弾性部材８を包むようにパネル１の内側へ折り重ねられ、カフ６の固定端縁部６ｃの、長手方向の内側に位置する近傍部が、自由側縁部６ａとともに幅方向外側へ折り返され、この折り返し部分と対向する基側縁部６ｂの上面に接着剤１２を介して固定されている。
【００２４】
図３は、着用状態を示すパネル１の内面の側の斜視図であり、パネル１のほぼ左半分を示す。前胴周り域２０におけるパネル１の外面には、テープファスナ１１の止着域となるターゲットテープ１３が取り付けられている。パネル１には、テープファスナ１１の自由端部の内面に塗布された粘着剤（図示せず）を介して、テープファスナ１１がターゲットテープ１３に止着されて、胴周り開口１４と脚周り開口１５とが形成されている。
【００２５】
後胴周り域２２に位置するカフ６の自由側縁部６ａは、後胴周り域２２のサイドフラップ５に引っ張られて強制的に起立させられ、それに連動するように股下域２１に位置するカフ６の自由側縁部６ａがパネル１の上面から上方へ起立している。後胴周り域２２には、トップシート２とカフ６の自由側縁部６ａとがパネル１の内側へ向かって開口するポケットＰを形成している。ポケットＰは、着用中であっても、開口状態を維持することができる。固定端縁部６ｃがパネル１の内側または外側へ倒伏されたままのカフ６とは異なり、後胴周り域２２に位置するカフ６が障壁としての機能を十分に発揮することができるので、後胴周り域２２での排泄物の横漏れを防ぐことができる。
【００２６】
後胴周り域２２に位置する自由側縁部６ａが、パネル１の幅方向外方へ引っ張られているので、パネル１がその内面を内側にして長手方向に湾曲したときの弾性部材８の収縮と相俟って、カフ６の自由側縁部６ａがパネル１の上方へ起立し易くなる。
【００２７】
トップシート２には、不織布や開孔プラスチックフィルム等の透液性のシート、好ましくは透液性であって疎水性のシートが使用される。バックシート３には、不透液性のプラスチックフィルムまたはプラスチックフィルムと疎水性不織布とのラミネートシート、好ましくは通気不透液性のシートが使用される。
【００２８】
カフ６には、通気不透液性の不織布シートまたは通気不透液性の伸縮性不織布シートが使用される。伸縮性不織布シートを使用する場合は、カフ６を伸長状態でパネル１の上面に固定し、カフ６の自由側縁部に対する弾性部材の取り付けを省くことができる。不織布としては、坪量５〜１５０ｇ／ｍ２の繊維からなるスパンポンド不織布、スパンレース不織布、メルトブローン不織布等を使用することができる。
【００２９】
コア４は、フラッフパルプと高吸収性ポリマー粒子との混合物であり、所要の厚みに圧縮され、全体がティシュペーパ等の透水シートによって被覆されている。  シートの固定や弾性部材の取り付けには、ホットメルト接着剤等の接着剤や粘着剤、または、熱溶着の技術を利用することができる。
【００３０】
この発明は、開放型の使い捨ておむつの他に、パンツ型の使い捨ておむつ、不透液性のプラスチックフィルムまたはプラスチックフィルムと疎水性不織布とのラミネートシート等で形成されたおむつカバーにも適用することができる。
【００３１】
【発明の効果】
本発明に係る着用物品によれば、胴周り域を着用物品の幅方向外方へ拡開すると、カフはその自由側縁部が幅方向外方へ引っ張られて起立する。胴周り域には、着用物品の内側へ向かって開口するポケットが形成されるので、胴周り域における排泄物の横漏れを防止することができる。
【図面の簡単な説明】
【図１】おむつの部分破断斜視図。
【図２】図１のＡ−Ａ線断面図。
【図３】着用状態を示すパネル内側の斜視図。
【符号の説明】
１        積層パネル
１ａ      両側縁部
１ｂ      両端縁部
２        透液性トップシート
３        不透液性バックシート
４        吸液性コア
５ａ      第３のシート部分
６        防漏カフ
６ａ      自由側縁部
６ｂ      基側縁部
６ｃ      固定端縁部
８        弾性部材
９        第２の弾性部材
１０      第３の弾性部材
２０        前胴周り域
２１        股下域
２２        後胴周り域
【図１】
0003576034.tif 000002
【図２】
0003576034.tif 000003
【図３】
0003576034.tif 000004